Podtech/llm-jp-corpus-v4-ja_patent huggingface dataset:
【手続補正書】
【提出日】平成18年11月9日(2006.11.9)
【手続補正１】
【補正対象書類名】特許請求の範囲
【補正対象項目名】請求項１０
【補正方法】変更
【補正の内容】
【請求項１０】
ドット記録装置に供給するための印刷データをコンピュータに生成させるためのコンピュータプログラムであって、
前記ドット記録装置は、
第１の方向の寸法Ｌｈが、前記第１の方向に垂直な第２の方向の寸法Ｌｖよりも大きいドットを、前記第１および第２の方向に沿って印刷媒体上に形成することができるドット記録装置であり、
前記コンピュータプログラムは、
ハーフトーン処理を実行して印刷データを生成させるハーフトーン処理部を含み、
前記ハーフトーン処理部は、
ドットの形成の有無がすでに決定されている画素である決定済み画素に与えられている濃度の階調と、前記決定済み画素においてドットの形成の形成または非形成によって表現される濃度の階調と、の間のずれに基づいて、前記決定済み画素に対して前記第１の方向に隣接する画素である第１の横周辺画素の階調値を改変し、または前記第１の横周辺画素におけるドットの形成の基準となるしきい値を改変する場合に、前記ずれに第１の横重みＷｈ１を掛けて使用する第１のユニットと、
前記ずれに基づいて、前記決定済み画素に対して前記第２の方向に隣接する画素である第１の縦周辺画素の階調値を改変し、または前記第１の縦周辺画素におけるドットの形成の基準となるしきい値を改変する場合には、前記ずれに第１の縦重みＷｖ１を掛けて使用する第２のユニットと、を有し、
前記第１の横重みＷｈ１は、前記第１の縦重みＷｖ１よりも大きい、コンピュータプログラム。
【手続補正書】
【提出日】平成18年6月6日(2006.6.6)
【手続補正１】
【補正対象書類名】特許請求の範囲
【補正対象項目名】全文
【補正方法】変更
【補正の内容】
【特許請求の範囲】
【請求項１】
映像表示素子を有するプロジェクタであって、
開口部を有する筐体と、
センサ光を出射する発光部、当該センサ光を受光する受光部、及び当該受光部からの信号に基づいてプロジェクタを制御する制御部を含む異物検出器と、を有し、
前記映像表示素子に生成された画像の表示光は前記開口部を通り、
前記センサ光の少なくとも一部は前記開口部を通る前記表示光の光路を横切り、
前記センサ光は、前記表示光の波長領域とは異なった波長領域にピーク波長を有することを特徴とするプロジェクタ。
【請求項２】
前記請求項１に記載のプロジェクタであって、
前記センサ光を反射する少なくとも一のミラーを有することを特徴とするプロジェクタ。
【請求項３】
前記請求項２に記載のプロジェクタであって、
前記センサ光を反射する複数のミラーを有し、
前記複数のミラーは、前記開口部を通る前記表示光を挟むように対向させて配置されていることを特徴とするプロジェクタ。
【請求項４】
前記請求項３に記載のプロジェクタであって、
前記複数のミラーのうち少なくとも一のミラーは、前記センサ光を２回以上反射することを特徴とするプロジェクタ。
【請求項５】
前記請求項２に記載のプロジェクタであって、
前記センサ光を反射する２つのミラーを有し、
前記２つのミラーは、前記開口部を通る前記表示光を挟むように対向させて配置されており、
前記センサ光は前記２つのミラーの間で多重反射することを特徴とするプロジェクタ。
【請求項６】
前記請求項１乃至請求項５のいずれかに記載のプロジェクタであって、
前記筐体の外側に投射ミラーを有し、
前記開口部を通った前記表示光が前記投射ミラーで反射されることを特徴とするプロジェクタ。
【請求項７】
前記請求項６に記載のプロジェクタであって、
前記投射ミラーは、倒れ込み及び引き起こし可能にプロジェクタに取り付けられており、引き起こし状態では投射光学系を構成し、倒れ込み状態では前記開口部を閉塞することを特徴とするプロジェクタ。
【請求項８】
前記請求項１乃至請求項７のいずれかに記載のプロジェクタであって、
前記少なくとも一のミラーは、前記センサ光のピーク波長に対してよりも前記表示光の波長領域の少なくとも一部に対しての方が反射率が低いことを特徴とするプロジェクタ。
【請求項９】
前記請求項１乃至請求項８のいずれかに記載のプロジェクタであって、
前記制御部は、前記センサ受光部からの前記信号が所定の時間前記センサ光の不検出を示した場合にランプを消灯することを特徴とするプロジェクタ。
【請求項１０】
前記請求項９に記載のプロジェクタであって、
前記制御部は、前記センサ受光部からの前記信号が前記センサ光の検出を示した場合にランプを点灯することを特徴とするプロジェクタ。
【請求項１１】
前記請求項１乃至請求項８のいずれかに記載のプロジェクタであって、
前記制御部は、前記センサ受光部からの前記信号が所定の時間前記センサ光の不検出を示した場合に映像をミュートすることを特徴とするプロジェクタ。
【請求項１２】
前記請求項１１に記載のプロジェクタであって、
前記制御部は、前記センサ受光部からの前記信号が所定の時間前記センサ光の不検出を示した場合に映像をミュートし、かつ、オンスクリーン表示を行うことを特徴とするプロジェクタ。
【請求項１３】
前記請求項１２に記載のプロジェクタであって、
前記制御部は、前記オンスクリーン表示の少なくとも一部が灰色であることを特徴とするプロジェクタ。
【請求項１４】
前記請求項９乃至請求項１３のいずれかに記載のプロジェクタであって、前記所定の時間が可変であることを特徴とするプロジェクタ。
【手続補正２】
【補正対象書類名】明細書
【補正対象項目名】０００９
【補正方法】変更
【補正の内容】
【０００９】
本発明のプロジェクタは、映像表示素子を有するプロジェクタであって、開口部を有する筐体と、センサ光を出射する発光部、当該センサ光を受光する受光部、及び当該受光部からの信号に基づいてプロジェクタを制御する制御部を含む異物検出器と、を有し、前記映像表示素子に生成された画像の表示光が前記開口部を通り、前記センサ光の少なくとも一部が前記開口部を通る前記表示光の光路を横切り、前記センサ光が、前記表示光の波長領域とは異なった波長領域にピーク波長を有することを特徴とする。あるいはさらに、本発明のプロジェクタは、前記センサ光を反射する少なくとも一のミラーを有することを特徴とする。あるいはさらに、本発明のプロジェクタは、前記センサ光を反射する複数のミラーを有し、前記複数のミラーが、前記開口部を通る前記表示光を挟むように対向させて配置されていることを特徴とする。あるいはさらに、本発明のプロジェクタは、前記複数のミラーのうち少なくとも一のミラーが、前記センサ光を２回以上反射することを特徴とする。あるいはさらに、本発明のプロジェクタは、前記センサ光を反射する２つのミラーを有し、前記２つのミラーが、前記開口部を通る前記表示光を挟むように対向させて配置されており、前記センサ光が前記２つのミラーの間で多重反射することを特徴とする。あるいはさらに、本発明のプロジェクタは、前記筐体の外側に投射ミラーを有し、前記開口部を通った前記表示光が前記投射ミラーで反射されることを特徴とする。あるいはさらに、本発明のプロジェクタは、前記投射ミラーが、倒れ込み及び引き起こし可能にプロジェクタに取り付けられており、引き起こし状態では投射光学系を構成し、倒れ込み状態では前記開口部を閉塞することを特徴とする。
【手続補正３】
【補正対象書類名】明細書
【補正対象項目名】００１０
【補正方法】変更
【補正の内容】
【００１０】
あるいはさらに、本発明のプロジェクタは、前記少なくとも一のミラーが、前記センサ光のピーク波長に対してよりも前記表示光の波長領域の少なくとも一部に対しての方が反射率が低いことを特徴とする。あるいはさらに、本発明のプロジェクタは、前記制御部が、前記センサ受光部からの前記信号が所定の時間前記センサ光の不検出を示した場合にランプを消灯することを特徴とする。あるいはさらに、本発明のプロジェクタは、前記制御部が、前記センサ受光部からの前記信号が前記センサ光の検出を示した場合にランプを点灯することを特徴とする。あるいはさらに、本発明のプロジェクタは、前記制御部が、前記センサ受光部からの前記信号が所定の時間前記センサ光の不検出を示した場合に映像をミュートすることを特徴とする。あるいはさらに、本発明のプロジェクタは、前記制御部が、前記センサ受光部からの前記信号が所定の時間前記センサ光の不検出を示した場合に映像をミュートし、かつ、オンスクリーン表示を行うことを特徴とする。あるいはさらに、本発明のプロジェクタは、前記制御部が、前記オンスクリーン表示の少なくとも一部が灰色であることを特徴とする。あるいはさらに、本発明のプロジェクタは、前記所定の時間が任意であることを特徴とする。特徴はセンサ部であり、センサ光が広がらない構成にするか、もしくはある程度の指向性を持つセンサを使用し、センサの発光と受光の間にミラーを設置することにより、反射させてセンサ光の遮断を検出する構成である。一対のセンサにより広範囲でかつ小さな異物の侵入を最小限の回路規模によって簡単に検出できるようにした。
【手続補正書】
【提出日】平成18年9月12日(2006.9.12)
【手続補正１】
【補正対象書類名】特許請求の範囲
【補正対象項目名】全文
【補正方法】変更
【補正の内容】
【特許請求の範囲】
【請求項１】
一主面と他主面とを有し、且つ、光源から出射される光が前記一主面と他主面で全反射されるように導入される光導波板と、
前記光導波板の一主面の周囲に存在するエバネッセント領域へ散乱体を突入させる突入量を変化させることによって、前記光導波板の前記他主面から放出される散乱光量を表示階調として制御する駆動部とを有する表示装置であって、
前記光導波板に導入する光は、赤色光、緑色光、青色光の３原色からなり、
前記３原色の波長λR、λG、λBに応じて、各３原色に対する前記エバネッセント領域の深さｄｐが同じとなるように、ｎ1を前記光導波板の屈折率、ｎ2を外部空間の光屈折率としたとき、
ｄｐ＝λR／［２πｎ1√｛ｓｉｎ2θR−（ｎ2／ｎ1）2｝］
＝λG／［２πｎ1√｛ｓｉｎ2θG−（ｎ2／ｎ1）2｝］
＝λB／［２πｎ1√｛ｓｉｎ2θB−（ｎ2／ｎ1）2｝］
に従って、各３原色に対して、前記光導波板から外部空間に光が入射するときの角度を設定することを特徴とする表示装置。
【手続補正２】
【補正対象書類名】明細書
【補正対象項目名】００１５
【補正方法】変更
【補正の内容】
【００１５】
本発明に係る表示装置は、一主面と他主面とを有し、且つ、光源から出射される光が前記一主面と他主面で全反射されるように導入される光導波板と、前記光導波板の一主面の周囲に存在するエバネッセント領域へ散乱体を突入させる突入量を変化させることによって、前記光導波板の前記他主面から放出される散乱光量を表示階調として制御する駆動部とを有する表示装置であって、前記光導波板に導入する光は、赤色光、緑色光、青色光の３原色からなり、前記３原色の波長λR、λG、λBに応じて、各３原色に対する前記エバネッセント領域の深さｄｐが同じとなるように、ｎ1を前記光導波板の屈折率、ｎ2を外部空間の光屈折率としたとき、
ｄｐ＝λR／［２πｎ1√｛ｓｉｎ2θR−（ｎ2／ｎ1）2｝］
＝λG／［２πｎ1√｛ｓｉｎ2θG−（ｎ2／ｎ1）2｝］
＝λB／［２πｎ1√｛ｓｉｎ2θB−（ｎ2／ｎ1）2｝］
に従って、各３原色に対して、前記光導波板から外部空間に光が入射するときの角度を設定することを特徴とする。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】削除
【補正の内容】
【手続補正２１】
【補正対象書類名】明細書
【補正対象項目名】００３４
【補正方法】削除
【補正の内容】
【手続補正２２】
【補正対象書類名】明細書
【補正対象項目名】００３５
【補正方法】削除
【補正の内容】
【手続補正２３】
【補正対象書類名】明細書
【補正対象項目名】００３６
【補正方法】削除
【補正の内容】
【手続補正２４】
【補正対象書類名】明細書
【補正対象項目名】００３７
【補正方法】削除
【補正の内容】
【手続補正２５】
【補正対象書類名】明細書
【補正対象項目名】００３８
【補正方法】削除
【補正の内容】
【手続補正２６】
【補正対象書類名】明細書
【補正対象項目名】００３９
【補正方法】削除
【補正の内容】
【手続補正２７】
【補正対象書類名】明細書
【補正対象項目名】００４０
【補正方法】削除
【補正の内容】
【手続補正２８】
【補正対象書類名】明細書
【補正対象項目名】００４１
【補正方法】削除
【補正の内容】
【手続補正２９】
【補正対象書類名】明細書
【補正対象項目名】００４２
【補正方法】削除
【補正の内容】
【手続補正３０】
【補正対象書類名】明細書
【補正対象項目名】００４３
【補正方法】削除
【補正の内容】
【手続補正３１】
【補正対象書類名】明細書
【補正対象項目名】００４４
【補正方法】削除
【補正の内容】
【手続補正３２】
【補正対象書類名】明細書
【補正対象項目名】００４５
【補正方法】削除
【補正の内容】
【手続補正３３】
【補正対象書類名】明細書
【補正対象項目名】００４６
【補正方法】削除
【補正の内容】
【手続補正３４】
【補正対象書類名】明細書
【補正対象項目名】００４７
【補正方法】削除
【補正の内容】
【手続補正３５】
【補正対象書類名】明細書
【補正対象項目名】００５１
【補正方法】削除
【補正の内容】
【手続補正３６】
【補正対象書類名】明細書
【補正対象項目名】００５２
【補正方法】削除
【補正の内容】
【手続補正３７】
【補正対象書類名】明細書
【補正対象項目名】００５３
【補正方法】削除
【補正の内容】
【手続補正３８】
【補正対象書類名】明細書
【補正対象項目名】００５４
【補正方法】削除
【補正の内容】
【手続補正書】
【提出日】平成18年3月16日(2006.3.16)
【手続補正１】
【補正対象書類名】特許請求の範囲
【補正対象項目名】全文
【補正方法】変更
【補正の内容】
【特許請求の範囲】
【請求項１】
エッチング側面を有するポリマーからなるコア層と、ポリマーからなる３層のクラッド層とが基板上に積層され、前記３層のクラッド層は、前記コア層の下面に接する下部クラッド層、前記基板の面に平行な方向から前記コア層を挟む第１の上部クラッド層、及び前記第１の上部クラッド層の上面に接する第２の上部クラッド層であって、前記コア層の上面は前記第１の上部クラッド層又は前記第２の上部クラッド層に接し、前記第１の上部クラッド層の屈折率は、前記下部クラッド層の屈折率より大きいことを特徴とするポリマー光導波路。
【請求項２】
基板上に形成されたポリマー光導波路であって、前記ポリマー光導波路は、ポリマーからなる矩形断面を有するコア層（屈折率n7）が、ポリマーからなる下部クラッド層（屈折率n5）及び第１の上部クラッド層（屈折率n8）に囲まれるように構成され、前記コア層の下面が前記下部クラッド層に接し、前記コア層の両側面及び上面が前記第１の上部クラッド層に接し、前記第１の上部クラッド層は上面がポリマーからなる第２の上部クラッド層（屈折率ｎ9）に接しており、かつ、前記コア層、前記下部クラッド層、前記第１の上部クラッド層、および前記第２の上部クラッド層の屈折率の間に
n7＞n8＞n9、n5
の関係があることを特徴とするポリマー光導波路。
【請求項３】
基板上に形成されたポリマー光導波路であって、前記ポリマー光導波路は、ポリマーからなる矩形断面とエッチング側面を有するコア層（屈折率n7）が、ポリマーからなる下部クラッド層（屈折率n5）、第１の上部クラッド層（屈折率n8）及び第２の上部クラッド層（屈折率n9）に囲まれるように構成され、前記コア層の下面が前記下部クラッド層に接し、前記コア層の両エッチング側面が前記第１の上部クラッド層に接し、前記コア層の上面が前記第２の上部クラッド層に接しており、かつ、前記コア層、前記下部クラッド層、前記第1の上部クラッド層、および前記第２の上部クラッド層の屈折率の間に
n7＞n8＞n9、n5
の関係があることを特徴とするポリマー光導波路。
【請求項４】
各層の屈折率が次の関係
０．００２≦（ｎ７−ｎ８）／ｎ７≦０．００４
（ｎ７−ｎ９）／ｎ７≦０．００５
（ｎ７−ｎ５）／ｎ７≦０．００５
を満たすことを特徴とする請求項２又は３に記載のポリマー光導波路。
【請求項５】
基板上にポリマーからなる下部クラッド層（屈折率n1）とポリマーからなるコア層（屈折率n2）を順次塗布し、前記コア層の不要部を除去した後、残った前記コア層の側面および上面を覆うように第１の上部クラッド層（屈折率n3）を形成し、前記第１の上部クラッド層上に第２の上部クラッド層（屈折率n4）を形成する埋込型のポリマー光導波路の製造方法であって、
各層の屈折率の間に
n2＞n3＞n1、n4
の関係があることを特徴とするポリマー光導波路の製造方法。
【請求項６】
基板上にポリマーからなる下部クラッド層（屈折率n5）とポリマーからなるコア層（屈折率n7）を順次形成し、前記コア層の不要部を除去した後、残った前記コア層の両側面を挟むように第１の上部クラッド層（屈折率n8）を形成し、前記コア層の上面が露出するまで前記第１の上部クラッド層を除去し、上面が露出した前記コア層および前記第１の上部クラッド層上に第２の上部クラッド層（屈折率n9）を形成する埋込型のポリマー光導波路の製造方法であって、
各層の屈折率の間に
n7＞n8＞n9、n5
の関係があることを特徴とするポリマー光導波路の製造方法。
【請求項７】
基板上にポリマーからなる下部クラッド層（屈折率n5）とポリマーからなる第１の上部クラッド層（屈折率n8）を形成し、前記第１の上部クラッド層の不要部を除去した後、前記除去部分を埋めるように、コア層（屈折率n7）を形成し、第２の上部クラッド層（屈折率n9）を形成する埋込型のポリマー光導波路の製造方法であって、
各層の屈折率の間に
n7＞n8＞n9、n5
の関係があることを特徴とするポリマー光導波路の製造方法。
【手続補正書】
【提出日】平成18年10月5日(2006.10.5)
【手続補正１】
【補正対象書類名】特許請求の範囲
【補正対象項目名】全文
【補正方法】変更
【補正の内容】
【特許請求の範囲】
【請求項１】
試料室内の試料に荷電粒子ビームを照射する照射光学系と、
前記試料に前記荷電粒子ビームを照射して分離した試料片を摘出し移動する手段と、
前記摘出された試料片を載置する試料片載置手段と、
前記試料を前記試料室の内外に搬送する手段と、
前記試料の搬送経路にある気密遮蔽可能なバルブと、
前記試料片載置手段の搬送経路にある気密遮蔽可能なバルブとを備えることを特徴とする試料作製装置。
【請求項２】
請求項１に記載の試料作製装置において、
前記荷電粒子ビームはイオンビームであることを特徴とする試料作製装置。
【請求項３】
請求項１に記載の試料作製装置において、
前記試料片載置手段はカートリッジであることを特徴とする試料作製装置。
【請求項４】
請求項３に記載の試料作製装置において、
前記カートリッジは透過電子顕微鏡に導入できるサイドエントリステージに装着可能であることを特徴とする試料作製装置。
【請求項５】
請求項３または４に記載の試料作製装置において、
前記カートリッジを複数個搭載できるカートリッジステーションを備えることを特徴とする試料作製装置。
【請求項６】
請求項５に記載の試料作製装置において、
前記カートリッジステーションごと装置外に搬出可能であることを特徴とする試料作製装置。
【請求項７】
請求項１に記載の試料作製装置において、
前記試料室内にガスを導入するガス導入手段を備えることを特徴とする試料作製装置。
【請求項８】
試料室内の試料に荷電粒子ビームを照射する照射光学系と、
前記試料に前記荷電粒子ビームを照射して分離した試料片を摘出し移動する手段と、
前記摘出された試料片を載置する試料片載置手段と、
前記試料を前記試料室の内外に搬送する手段と、
前記試料の搬送経路にあって大気と遮断できるバルブと、
前記試料片載置手段の搬送経路にあって大気と遮断できるバルブとを備えることを特徴とする試料作製装置。
【手続補正書】
【提出日】平成18年11月14日(2006.11.14)
【手続補正１】
【補正対象書類名】特許請求の範囲
【補正対象項目名】請求項５
【補正方法】変更
【補正の内容】
【請求項５】
前記第１の認証情報の生成に使用する前記所定の情報の設定を受け付ける設定受付手段を更に備え、前記生成手段は前記設定受付手段により設定を受け付けた所定の情報に基づいて前記第１の認証情報を生成することを特徴とする請求項１乃至４のいずれか１項に記載の印刷装置。
【手続補正２】
【補正対象書類名】特許請求の範囲
【補正対象項目名】請求項７
【補正方法】変更
【補正の内容】
【請求項７】
前記生成手段は、前記所定の情報のハッシュ値のチェックサム値に基づいて前記認証情報を生成することを特徴とする請求項１乃至５のいずれか１項に記載の印刷装置。
【手続補正３】
【補正対象書類名】特許請求の範囲
【補正対象項目名】請求項１１
【補正方法】変更
【補正の内容】
【請求項１１】
前記条件入力受付手段で受け付ける前記条件は、ユーザ名、認証情報、印刷データ名の少なくともいずれかを含むことを特徴とする請求項１０に記載の印刷装置。
【手続補正４】
【補正対象書類名】特許請求の範囲
【補正対象項目名】請求項１３
【補正方法】変更
【補正の内容】
【請求項１３】
前記印刷データに付随する固有情報は、少なくとも文書名、ユーザ名、データサイズ、ネットワークアドレス、ＭＡＣアドレスのいずれかに関する情報を含むことを特徴とする請求項１２に記載の印刷装置の制御方法。
【手続補正５】
【補正対象書類名】特許請求の範囲
【補正対象項目名】請求項１６
【補正方法】変更
【補正の内容】
【請求項１６】
前記第１の認証情報の生成に使用する前記所定の情報の設定を受け付ける設定受付工程を更に備え、前記生成工程は前記設定受付工程により設定を受け付けた所定の情報に基づいて前記第１の認証情報を生成することを特徴とする請求項１２乃至１５のいずれか１項に記載の印刷装置の制御方法。
【手続補正６】
【補正対象書類名】特許請求の範囲
【補正対象項目名】請求項１８
【補正方法】変更
【補正の内容】
【請求項１８】
前記生成工程は、前記所定の情報のハッシュ値のチェックサム値に基づいて前記認証情報を生成することを特徴とする請求項１２乃至１６のいずれか１項に記載の印刷装置の制御方法。
【手続補正７】
【補正対象書類名】特許請求の範囲
【補正対象項目名】請求項２２
【補正方法】変更
【補正の内容】
【請求項２２】
前記条件入力受付工程において受け付ける前記条件は、ユーザ名、認証情報、印刷データ名の少なくともいずれかを含むことを特徴とする請求項２１に記載の印刷装置の制御方法。
【手続補正書】
【提出日】平成18年9月6日(2006.9.6)
【手続補正１】
【補正対象書類名】特許請求の範囲
【補正対象項目名】全文
【補正方法】変更
【補正の内容】
【特許請求の範囲】
【請求項１】
枚葉紙を給紙部から渡し胴に供給するため、給紙部と渡し胴の間に揺動するスイング機構を設け、該スイング機構により給紙部から枚葉紙を渡し胴に供給するにあたり、スイングレバーの先端に備えた爪と爪台で枚葉紙の先端を把持し、前記渡し胴に引き渡すように構成したオフセット印刷機のスイング機構において、
前記爪台に対する爪の開閉を行うスイング爪開閉装置を、溝カムとその溝カム内に収納したコロにより形成し、スイングレバーの揺動に応じて、前記コロが前記溝カムを転動することにより該溝カムの形状に基づき、前記爪の開閉を行うように構成したことを特徴とするオフセット印刷機のスイング機構。
【請求項２】
前記コロは、前記スイングレバーの軸芯側に設けられる前記溝カムの内側カム面に当接する第１のコロと、前記スイングレバーの先端側に設けられる前記溝カムの外側カム面に当接する第２のコロと、から構成されていることを特徴とする請求項１記載のオフセット印刷機のスイング機構。
【請求項３】
前記内側カム面は、前記外側カム面に対して前記スイングレバーの軸方向にずれて配置されていることを特徴とする請求項１又は２記載のオフセット印刷機のスイング機構。
【手続補正２】
【補正対象書類名】明細書
【補正対象項目名】発明の名称
【補正方法】変更
【補正の内容】
【発明の名称】オフセット印刷機のスイング機構
【手続補正３】
【補正対象書類名】明細書
【補正対象項目名】０００２
【補正方法】変更
【補正の内容】
【０００２】
従来の枚葉多色刷オフセット印刷機は、図５に示すように構成されている。
図５において、オフセット印刷機１は、例えば、イエロー、マゼンタ、シアン、ブラックの各色毎に印刷ユニット１ａ、１ｂ、１ｃ、１ｄを備えている。なお、図５においては、構成を見易くするために、インキング部や水浸し部等の詳細構成が省略されている。
上記印刷ユニット１ａ〜１ｄは、それぞれ版胴２ａ〜２ｄ、ブランケット胴３ａ〜３ｄ、圧胴４ａ〜４ｄを備えており、圧胴４ａ〜４ｄのそれぞれの間には中間胴５ａ、５ｂ、５ｃを備えている。
【手続補正４】
【補正対象書類名】明細書
【補正対象項目名】０００５
【補正方法】変更
【補正の内容】
【０００５】
ここで、上記スイング機構は、例えば特許文献１によれば、図４に示すように構成されている。
図４において、スイング機構８は、給紙部６の給紙テーブル６ａから所定の停止位置に供給される枚葉紙Ｐの先端を把持して、渡し胴６ｃの爪部６ｄへ引き渡すように構成されている。
【手続補正５】
【補正対象書類名】明細書
【補正対象項目名】０００９
【補正方法】変更
【補正の内容】
【０００９】
続いて、スイングレバー８ｂが回転軸８ａを中心に逆方向に揺動されて、渡し胴６ｃ側へ揺動され、スイング爪８ｄに取り付けられたコロ８ｆがバネ８ｉの引張力によりカム８ｇのカム面８ｈに沿って転動する。
これにより、スイングレバー８ｇがカム面８ｈの形状に基づいて、渡し胴６ｃ側に移動してスイング爪８ｄが爪台８ｃから離反して開放され、挟持していた枚葉紙Ｐの先端を渡し胴６ｃの爪部６ｄに対して引き渡し、その後、スイングレバー８ｂが再び給紙部６側に向かって揺動される。
以上の動作が、枚葉紙毎に繰返し行なわれることにより、枚葉紙が給紙されるように構成されている。
【特許文献１】実公平０４−０１５４８７号
【手続補正６】
【補正対象書類名】明細書
【補正対象項目名】００１３
【補正方法】変更
【補正の内容】
【００１３】
前記課題を解決するため、本発明の請求項１記載の発明は、枚葉紙を給紙部から渡し胴に供給するため、給紙部と渡し胴の間に揺動するスイング機構を設け、該スイング機構により給紙部から枚葉紙を渡し胴に供給するにあたり、スイングレバーの先端に備えた爪と爪台で枚葉紙の先端を把持し、前記渡し胴に引き渡すように構成したオフセット印刷機のスイング機構において、前記爪台に対する爪の開閉を行うスイング爪開閉装置を、溝カムとその溝カム内に収納したコロにより形成し、スイングレバーの揺動に応じて、前記コロが前記溝カムを転動することにより該溝カムの形状に基づき、前記爪の開閉を行うように構成したことを特徴とする。
【手続補正７】
【補正対象書類名】明細書
【補正対象項目名】００１４
【補正方法】変更
【補正の内容】
【００１４】
請求項２記載の発明は、請求項１記載の発明において、前記コロは、前記スイングレバーの軸芯側に設けられる前記溝カムの内側カム面に当接する第１のコロと、前記スイングレバーの先端側に設けられる前記溝カムの外側カム面に当接する第２のコロと、から構成されていることを特徴とする。
【手続補正８】
【補正対象書類名】明細書
【補正対象項目名】００１９
【補正方法】変更
【補正の内容】
【００１９】
さらに、スイング爪開閉装置の内側カム面が、外側カム面に対して、スイングレバーの軸方向に関してずれて配置されることで、第１のコロ及び第２のコロも互いに軸方向にずれて配置されることになり、双方のコロの回転軸が略同一線上にあることになる。
従って、内側カム面及び外側カム面が揺動レバーの揺動角度に対して同位相になるので、形状を簡略化することができ、容易に作成することができる。
【手続補正９】
【補正対象書類名】明細書
【補正対象項目名】００２１
【補正方法】変更
【補正の内容】
【００２１】
以下、添付図面を参照して本発明に係るオフセット印刷機のスイング機構の実施の形態を詳細に説明する。
【手続補正１０】
【補正対象書類名】明細書
【補正対象項目名】００２６
【補正方法】変更
【補正の内容】
【００２６】
上述した本願発明におけるカム２１は、図２及び図３に詳細に示すように溝カムとして構成されている。
具体的に、カム２１は、図４に示した従来のスイング機構８における板カム８ｇの外側のカム面８ｈと同じ形状の内側カム面２１ａと、外側に配置された外側カム面２１ｂと、を備えており、内側カム面２１ａと外側カム面２１ｂとにより画成される溝がスイングレバー１１の一側（図１にて紙面手前側）に開口している。
ここで、外側カム面２１ｂの形状は、内側カム面２１ａに対してほぼ同じ幅を画成するように選定されていると共に、図３に示すように、内側カム面２１ａは、外側カム面２１ｂに対して軸方向にずれて配置されている。
【手続補正１１】
【補正対象書類名】明細書
【補正対象項目名】００３４
【補正方法】変更
【補正の内容】
【００３４】
【図１】本発明によるオフセット印刷機の一実施形態の要部であるスイング機構の構成を示す拡大図である。
【図２】スイング機構におけるカムを示す拡大平面図である。
【図３】カムの断面図である。
【図４】従来のスイング機構の構成を示す概略断面図である。
【図５】従来のオフセット印刷機の全体構成を示す概略断面図である。
【手続補正書】
【提出日】平成18年10月20日(2006.10.20)
【手続補正１】
【補正対象書類名】特許請求の範囲
【補正対象項目名】全文
【補正方法】変更
【補正の内容】
【特許請求の範囲】
【請求項１】
少なくとも２自由度を有しており作業対象物に接触する作業部と、
術者が把持可能な第１の操作部と、
前記第１の操作部に取り付けられ、前記作業部の前記２自由度方向の動作を制御するための第２の操作部と、
一端側に前記作業部が接続され、他端側に前記第１の操作部が接続され、前記作業部を少なくとも２自由度方向に駆動するための駆動力を発生する複数のモータを有する駆動力発生部と、
前記第１の操作部に取り付けられ、前記第２の操作部とは異なる方向に前記作業部の動作を制御するための第３の操作部と、を具備し、
前記第２の操作部は、
それぞれが前記第１の操作部の長手方向に沿って設けられ、それぞれが前記作業部の前記２自由度方向の少なくとも一方向の動作を制御可能で、前記術者が前記第１の操作部を把持した方の手の指で操作を行うための第１および第２のダイヤルを有し、
前記第１のダイヤルは、その回転方向が前記第２のダイヤルの回転方向とは直交する向きに配置されることを特徴とする医療用マニピュレータ。
【請求項２】
前記第１の操作部の一端側に配置されて術者が把持する把持部を有し、
前記第１および第２のダイヤルは、前記第１の操作部の他端側に配置されることを特徴とする請求項１に記載の医療用マニピュレータ。
【請求項３】
前記第１のダイヤルは、前記第２のダイヤルよりも前記第１の操作部の他端に近い側に配置され、
前記第１のダイヤルの回転方向は、前記第２の操作部の短手方向に略平行であり、
前記第２のダイヤルの回転方向は、前記第２の操作部の長手方向に略平行であることを特徴とする請求項２に記載の医療用マニピュレータ。
【請求項４】
前記第１の操作部は、
前記作業部が接続されるとともに、前記第３の操作部が取り付けられる第１面と、
前記第１面の反対側に配置され前記第２の操作部が取り付けられる第２面と、を有することを特徴とする請求項１乃至３のいずれかに記載の医療用マニピュレータ。
【手続補正書】
【提出日】平成18年10月23日(2006.10.23)
【手続補正１】
【補正対象書類名】特許請求の範囲
【補正対象項目名】全文
【補正方法】変更
【補正の内容】
【特許請求の範囲】
【請求項１】
遊技球が入賞可能な始動入賞口と、
遊技球の前記始動入賞口への入賞に基づいて当否の抽選を行う当たり抽選手段と、
前記当たり抽選の抽選結果を示す特別図柄を決定する特別図柄決定手段と、
前記特別図柄の変動パターンであって、データとしてその所要時間である特別図柄変動時間を含むものが記録されている特別図柄変動パターン第１テーブルと、
前記当たり抽選の抽選結果に依存して表示される装飾画像の変動パターンであって、データとしてその所要時間である装飾画像変動時間を含むものが記録されている装飾画像変動パターン第１テーブルと、
当該前記特別図柄変動パターン第１テーブルから特別図柄の変動パターンを選択し、かつ、前記装飾画像変動パターン第１テーブルから装飾画像の変動パターンを選択する第１変動パターン選択手段と、
前記特別図柄の変動パターンであって、データとしてその所要時間である特別図柄変動時間を含むものが記録されている特別図柄変動パターン第２テーブルと、
前記当たり抽選の抽選結果に依存して表示される装飾画像の変動パターンであって、データとしてその所要時間である装飾画像変動時間を含むものが記録されている装飾画像変動パターン第２テーブルと、
当該前記特別図柄変動パターン第２テーブルから特別図柄の変動パターンを選択し、かつ、前記装飾画像変動パターン第２テーブルから装飾画像の変動パターンを選択する第２変動パターン選択手段とを備えるとともに、、
前記第１変動パターン選択手段は、当該の入賞に基づく特別図柄変動時間と装飾画像変動時間とが同一である同期状態となるような特別図柄変動パターン及び装飾図柄変動パターンを選択し、
前記第２変動パターン選択手段は、当該の入賞に基づく特別図柄変動時間と装飾画像変動時間とが一致せず、装飾画像の変動表示がまだ継続中である場合に、複数回の特別図柄の変動表示が行われる非同期状態となるような特別図柄変動パターン及び装飾図柄変動パターンを選択することを特徴とする弾球遊技機。
【請求項２】
遊技球が入賞可能な始動入賞口と、
遊技球の前記始動入賞口への入賞に基づいて当否の抽選を行う当たり抽選手段と、
前記当たり抽選の抽選結果を示す特別図柄を決定する特別図柄決定手段と、
前記特別図柄の変動パターンであって、データとしてその所要時間である特別図柄変動時間を含むものが記録されている特別図柄変動パターン第１テーブルと、
前記当たり抽選の抽選結果に依存して表示される装飾画像の変動パターンであって、データとしてその所要時間である装飾画像変動時間を含むものが記録されている装飾画像変動パターン第１テーブルと、
当該前記特別図柄変動パターン第１テーブルから特別図柄の変動パターンを選択し、かつ、前記装飾画像変動パターン第１テーブルから装飾画像の変動パターンを選択する第１変動パターン選択手段と、
前記特別図柄の変動パターンであって、データとしてその所要時間である特別図柄変動時間を含むものが記録されている特別図柄変動パターン第２テーブルと、
前記当たり抽選の抽選結果に依存して表示される装飾画像の変動パターンであって、データとしてその所要時間である装飾画像変動時間を含むものが記録されている装飾画像変動パターン第２テーブルと、
当該前記特別図柄変動パターン第２テーブルから特別図柄の変動パターンを選択し、かつ、前記装飾画像変動パターン第２テーブルから装飾画像の変動パターンを選択する第２変動パターン選択手段とを備えるとともに、
前記第１変動パターン選択手段は、当該の入賞に基づく特別図柄変動時間と装飾画像変動時間とが同一である同期状態となるような特別図柄変動パターン及び装飾図柄変動パターンを選択し、
前記第２変動パターン選択手段は、当該の入賞に基づく特別図柄変動時間と装飾画像変動時間とが一致せず、特別図柄の変動表示がまだ継続中である場合に、複数回の装飾画像の変動表示が行われる非同期状態となるような特別図柄変動パターン及び装飾図柄変動パターンを選択することを特徴とする弾球遊技機。
【請求項３】
前記非同期状態において、特別図柄の変動が停止すると同時に最終回の装飾画像の変動が停止するように制御することを特徴とする請求項２記載の弾球遊技機。
【請求項４】
前記第１変動パターン選択手段又は前記第２変動パターン選択手段により選択された当該特別図柄の変動パターンに従って当該特別図柄が変動表示される特別図柄表示装置と、
前記第１変動パターン選択手段又は前記第２変動パターン選択手段により選択された当該装飾画像の変動パターンに従って当該装飾画像が変動表示される装飾画像表示装置とを備えたことを特徴とする請求項１、２又は３記載の弾球遊技機。
【請求項５】
前記装飾画像が変動可能な回数である表示回数を記憶する表示回数記憶手段と、
前記始動入賞口へ入賞があったときは前記表示回数記憶手段における表示回数を１加算する表示回数加算手段と、
前記装飾画像の変動表示が開始されたときは前記表示回数記憶手段における表示回数を１減算する表示回数減算手段と
前記表示回数記憶手段に記憶されている表示回数を表示する表示回数表示装置とを備えたことを特徴とする請求項１、２、３又は４記載の弾球遊技機。
【手続補正２】
【補正対象書類名】明細書
【補正対象項目名】００４４
【補正方法】変更
【補正の内容】
【００４４】
たとえば、上記表２の装飾画像変動パターン第１テーブル43から装飾画像変動時間が５秒であるパターンａを選択した場合には、上記表１の特別図柄変動パターン第１テーブル42からは、特別図柄変動時間が同じく５秒であるパターンＡ又はパターンＢを選択することとなる。また、装飾画像変動パターン第１テーブル43から装飾画像変動時間が８秒であるパターンｃを選択した場合には、特別図柄変動時間が同じく８秒であるパターンＣを選択することとなる。このように、第１変動パターン選択手段44は、特別図柄変動時間と装飾画像変動時間とが同一となるような特別図柄変動パターン及び装飾画像変動パターンを選択する。
【手続補正書】
【提出日】平成18年5月31日(2006.5.31)
【手続補正１】
【補正対象書類名】特許請求の範囲
【補正対象項目名】請求項１
【補正方法】変更
【補正の内容】
【請求項１】
役の抽選を行う役抽選手段と、
ボーナス役の当選可能性を告知するときの複数の演出パターンを有する演出パターンデータテーブルと、
前記役抽選手段の抽選結果に基づいて、ボーナス役の当選可能性を告知するときに、演出パターンを前記演出パターンデータテーブルから選択する演出パターン選択手段と、
リールの停止後に、表示窓内にあるリール上の特定図柄の検知を行う特定図柄検知手段とを備え、
前記演出パターン選択手段で選択される演出パターンには、リール上の特定図柄の検知を行う演出パターンと、リール上の特定図柄の検知を行わない演出パターンとを有し、
前記特定図柄検知手段は、前記演出パターン選択手段で選択された演出パターンがリール上の特定図柄の検知を行う演出パターンであるときは、リール上の特定図柄の検知を行い、
各リールの内側に配置されたバックランプにより、前記特定図柄検知手段で検知された特定図柄を照光するとともに特定図柄以外の図柄を消光する演出を行う第１演出手段と、
前記演出パターンデータテーブルの所定の演出パターンと、リールの停止後に表示窓内に出現する特定図柄の数とに対応した特定図柄の消光数を定めた消光数決定用データテーブルと、
前記演出パターン選択手段で選択された演出パターンと、前記特定図柄検知手段で検知された特定図柄の数と、前記消光数決定用データテーブルとを参照し、照光後の特定図柄の消光数を決定する特定図柄消光数決定手段と、
前記第１演出手段で特定図柄が照光された後、前記特定図柄消光数決定手段で決定した数の特定図柄を消光する演出を行う第２演出手段と
を備える
ことを特徴とするスロットマシン。
【手続補正２】
【補正対象書類名】明細書
【補正対象項目名】０００５
【補正方法】変更
【補正の内容】
【０００５】
上述の課題を解決するために、請求項１の発明は、役の抽選を行う役抽選手段と、ボーナス役の当選可能性を告知するときの複数の演出パターンを有する演出パターンデータテーブルと、前記役抽選手段の抽選結果に基づいて、ボーナス役の当選可能性を告知するときに、演出パターンを前記演出パターンデータテーブルから選択する演出パターン選択手段と、リールの停止後に、表示窓内にあるリール上の特定図柄の検知を行う特定図柄検知手段とを備え、前記演出パターン選択手段で選択される演出パターンには、リール上の特定図柄の検知を行う演出パターンと、リール上の特定図柄の検知を行わない演出パターンとを有し、前記特定図柄検知手段は、前記演出パターン選択手段で選択された演出パターンがリール上の特定図柄の検知を行う演出パターンであるときは、リール上の特定図柄の検知を行い、各リールの内側に配置されたバックランプにより、前記特定図柄検知手段で検知された特定図柄を照光するとともに特定図柄以外の図柄を消光する演出を行う第１演出手段と、前記演出パターンデータテーブルの所定の演出パターンと、リールの停止後に表示窓内に出現する特定図柄の数とに対応した特定図柄の消光数を定めた消光数決定用データテーブルと、前記演出パターン選択手段で選択された演出パターンと、前記特定図柄検知手段で検知された特定図柄の数と、前記消光数決定用データテーブルとを参照し、照光後の特定図柄の消光数を決定する特定図柄消光数決定手段と、前記第１演出手段で特定図柄が照光された後、前記特定図柄消光数決定手段で決定した数の特定図柄を消光する演出を行う第２演出手段とを備えることを特徴とする。
【手続補正３】
【補正対象書類名】明細書
【補正対象項目名】００１０
【補正方法】変更
【補正の内容】
【００１０】
演出パターンには、リール上の特定図柄の検知を行う演出パターンが設けられており、この演出パターンが選択されると、特定図柄検知手段は、リール上の特定図柄の検知を行い、第１演出手段は、バックランプを点灯、点滅又は消灯させることにより、検知された特定図柄を照光するとともに、これらの照光した特定図柄以外の図柄を消光する演出を行う。これにより、表示窓内には特定図柄のみが照光された状態になる。
また、特定図柄消光数決定手段は、選択された演出パターンと、特定図柄検知手段で検知された特定図柄と、消光数決定用データテーブルとを参照して、照光後の特定図柄の消光数を決定し、第２演出手段は、第１演出手段で特定図柄が照光された後に、バックランプを制御することにより、所定の特定図柄を消光する演出を行う。
したがって、遊技者は、リールの停止後に、特定図柄が照光されたときは、告知演出が行われることを知ることができ、照光された特定図柄の消光状態により、ボーナス役の当選可能性を知ることができる。また、このような告知演出を行うことにより、リールの停止後の表示窓にある特定図柄と関連させて、バックランプによる告知演出を行うことができる。
【手続補正書】
【提出日】平成18年10月18日(2006.10.18)
【手続補正１】
【補正対象書類名】特許請求の範囲
【補正対象項目名】請求項１
【補正方法】変更
【補正の内容】
【請求項１】
遊技の進行に関する制御を行う遊技用制御手段と、
遊技の演出に関する制御を行う演出用制御手段と、
複数種類の図柄を表示した複数のリールと、
各前記リールに対応して設けられ、前記リールの回転を停止させるときに遊技者が操作するリール停止操作手段と、
前記リール停止操作手段が操作された時のタイミングに基づいて、前記リールを所定位置に停止制御するリール停止制御手段と、
前記リール停止制御手段によって前記リールが停止した時の所定の基準位置における前記リールの図柄を検知する基準図柄検知手段と、
前記リールの停止時の前記基準位置における図柄に対応する演出データを記憶した演出データ記憶手段と、
前記基準図柄検知手段の検知結果に基づいて、前記演出データ記憶手段から演出データを選択する演出データ選択手段と、
前記演出データ選択手段により選択された演出データに基づいて、演出の出力を制御する演出出力制御手段と
を備えることを特徴とするスロットマシン。
【手続補正２】
【補正対象書類名】特許請求の範囲
【補正対象項目名】請求項２
【補正方法】変更
【補正の内容】
【請求項２】
請求項１に記載のスロットマシンにおいて、
前記基準図柄検知手段は、前記リール停止操作手段が操作された時の所定の基準位置における前記リールの図柄を検知可能とし、
前記演出データ記憶手段は、前記リール停止操作手段が操作された時の前記基準位置における前記リールの図柄に対応する演出データを記憶し、
前記演出データ選択手段は、前記基準図柄検知手段による前記リール停止操作手段が操作された時の検知結果に基づいて、前記演出データ記憶手段から演出データを選択し、
前記演出出力制御手段は、前記演出データ選択手段により選択された演出データに基づいて、演出の出力を制御する
ことを特徴とするスロットマシン。
【手続補正３】
【補正対象書類名】明細書
【補正対象項目名】０００４
【補正方法】変更
【補正の内容】
【０００４】
本発明は、以下の解決手段によって、上述の課題を解決する。
（請求項１）
請求項１の発明は、遊技の進行に関する制御を行う遊技用制御手段と、遊技の演出に関する制御を行う演出用制御手段と、複数種類の図柄を表示した複数のリールと、各前記リールに対応して設けられ、前記リールの回転を停止させるときに遊技者が操作するリール停止操作手段と、前記リール停止操作手段が操作された時のタイミングに基づいて、前記リールを所定位置に停止制御するリール停止制御手段と、前記リール停止制御手段によって前記リールが停止した時の所定の基準位置における前記リールの図柄を検知する基準図柄検知手段と、前記リールの停止時の前記基準位置における図柄に対応する演出データを記憶した演出データ記憶手段と、前記基準図柄検知手段の検知結果に基づいて、前記演出データ記憶手段から演出データを選択する演出データ選択手段と、前記演出データ選択手段により選択された演出データに基づいて、演出の出力を制御する演出出力制御手段とを備えることを特徴とする。
【手続補正４】
【補正対象書類名】明細書
【補正対象項目名】０００５
【補正方法】変更
【補正の内容】
【０００５】
請求項１の発明においては、基準図柄検知手段は、リール停止制御手段によってリールが停止した時の基準位置におけるリールの図柄を検知する。そして、演出データ選択手段は、基準図柄検知手段の検知結果に基づいて、演出データ記憶手段から演出データを選択する。次いで、演出出力制御手段は、所定の周辺機器、例えば画像表示装置を用いて演出の出力を制御する。
したがって、リールの停止時に、有効ライン上や表示窓内等にある図柄に関連する演出データが選択され、演出が出力される。よって、リールの停止位置を反映させた演出を行うことができるようになる。
【手続補正５】
【補正対象書類名】明細書
【補正対象項目名】０００６
【補正方法】変更
【補正の内容】
【０００６】
（請求項２）
請求項２の発明は、請求項１に記載のスロットマシンにおいて、前記基準図柄検知手段は、前記リール停止操作手段が操作された時の所定の基準位置における前記リールの図柄を検知可能とし、前記演出データ記憶手段は、前記リール停止操作手段が操作された時の前記基準位置における前記リールの図柄に対応する演出データを記憶し、前記演出データ選択手段は、前記基準図柄検知手段による前記リール停止操作手段が操作された時の検知結果に基づいて、前記演出データ記憶手段から演出データを選択し、前記演出出力制御手段は、前記演出データ選択手段により選択された演出データに基づいて、演出の出力を制御することを特徴とする。
【手続補正６】
【補正対象書類名】明細書
【補正対象項目名】０００７
【補正方法】変更
【補正の内容】
【０００７】
請求項２の発明においては、基準図柄検知手段は、リール停止操作手段が操作された時に、所定の基準位置におけるリールの図柄を検知する。そして、演出データ選択手段は、基準図柄検知手段の検知結果に基づいて、演出データ記憶手段から演出データを選択する。次いで、演出出力制御手段は、所定の周辺機器、例えば画像表示装置を用いて演出の出力を制御する。
したがって、リール停止操作手段の操作時に、有効ライン上や表示窓内等にある図柄に関連する演出データが選択され、演出が出力される。よって、遊技者によるリールの停止操作時のリール位置を反映させた演出を行うことができるようになる。
【手続補正７】
【補正対象書類名】明細書
【補正対象項目名】００１７
【補正方法】変更
【補正の内容】
【００１７】
（請求項１、請求項２）
請求項１の発明によれば、リールの停止位置を反映させた演出を行うことができる。
また、請求項２の発明によれば、リール停止操作手段が操作された時のリール位置を反映させた演出を行うことができる。
【手続補正書】
【提出日】平成18年10月31日(2006.10.31)
【手続補正１】
【補正対象書類名】特許請求の範囲
【補正対象項目名】請求項１
【補正方法】変更
【補正の内容】
【請求項１】
識別情報の可変表示を行う可変表示手段を備えた遊技機であって、
遊技者による操作が可能な操作手段と、
前記識別情報の可変表示に関連して実行される複数種類のモードのいずれかを実行するためのモード実行データが記憶されたモード実行データ記憶手段と、
前記識別情報の可変表示が行われているときにおいて、前記操作手段による操作を受け付けたときには、当該操作に応じて複数種類のモードからいずれかを選択するモード選択手段と、
前記モード選択手段によって選択されたモードを記憶するモード記憶手段と、
前記識別情報の可変表示を開始するときに、前記モード記憶手段に記憶されたモードに対応するモード実行データを前記モード実行データ記憶手段から読み出して実行するモード実行手段と、
前記操作手段による操作が受け付けられたときにその旨の報知を行う操作受付報知手段と、を備えたことを特徴とする遊技機。
【手続補正２】
【補正対象書類名】特許請求の範囲
【補正対象項目名】請求項６
【補正方法】変更
【補正の内容】
【請求項６】
請求項１から５のいずれかに記載の遊技機において、
前記モード選択手段によって選択されたモードを特定可能に報知する選択モード報知手段を備えたことを特徴とする遊技機。
【手続補正３】
【補正対象書類名】特許請求の範囲
【補正対象項目名】請求項７
【補正方法】変更
【補正の内容】
【請求項７】
請求項１から６のいずれかに記載の遊技機において、
前記モード選択手段によってモードが選択された結果、実行中のモードとは異なるモードが実行されることとなった場合に、当該異なるモードが実行される旨の報知を行うモード変更報知手段を備えたことを特徴とする遊技機。
【手続補正４】
【補正対象書類名】特許請求の範囲
【補正対象項目名】請求項８
【補正方法】変更
【補正の内容】
【請求項８】
識別情報の可変表示の表示制御を行う可変表示制御処理をコンピュータに実行させるシミュレーションプログラムであって、
前記識別情報の可変表示が行われているときにおいて、遊技者による操作が可能な操作手段による操作が受け付けられたときには、当該操作に応じて、前記識別情報の可変表示に関連して実行される複数種類のモードからいずれかを選択するモード選択処理と、
前記識別情報の可変表示を開始するときに、前記モード選択処理において選択されたモードに対応するモード実行データを、前記識別情報の可変表示に関連して実行される複数種類のモードのいずれかを実行するためのモード実行データが記憶されたモード実行データ記憶手段から読み出して実行するモード実行処理と、
前記操作手段による操作が受け付けられたときにその旨の報知を行う操作受付報知処理と、をコンピュータに実行させることを特徴とするシミュレーションプログラム。
【手続補正書】
【提出日】平成18年2月13日(2006.2.13)
【手続補正１】
【補正対象書類名】明細書
【補正対象項目名】０００７
【補正方法】変更
【補正の内容】
【０００７】
これらの金属被膜処理法にあっては、
（１）例えば、溶融メッキ法では、固体金属の被処理成品を浸漬するための、溶融した液体金属が必要であるので、液体金属を常に溶融状態に維持するための高価な加熱設備が必要であり、また、被膜の密着力不足による不良率が高いためにコスト高であるという問題があった。